(57)【要約】【課題】複数の制作手段にて制作されたコンテンツを一元的に管理する。【解決手段】登録用端末１１−１〜１１−ｎから送信されてくる予定のコンテンツ情報のコンテンツＩＤをコンテンツ納品リスト２３に予め登録しておき、登録用端末１１−１〜１１−ｎからコンテンツ情報がコンテンツＩＤとともに送信されてきた場合、そのコンテンツＩＤがコンテンツ納品リスト２３に登録されているものであるかどうかを確認し、登録されている場合、コンテンツＩＤとともに登録用端末１１−１〜１１−ｎから送信されてきたコンテンツ情報をコンテンツＩＤと対応づけてデータベースに登録して管理するコンテンツ管理サーバ２１と、データベースに登録して管理されたコンテンツ情報が、承認用端末３２にて承認された場合、承認されたコンテンツ情報を印刷会社４０−１〜４０−Ｎの端末４１−１〜４１−Ｎに送信するデータ配信サーバ２２とを有する。【選択図】図１
2007265146.tif 000002
【特許請求の範囲】
【請求項１】
複数の登録用端末から送信されてきたコンテンツ情報を管理し、該コンテンツ情報を複数の印刷手段に送信するコンテンツ管理システムであって、
前記複数の登録用端末から送信されてくる予定のコンテンツ情報を識別可能な識別情報を予め登録しておき、前記複数の登録用端末からコンテンツ情報が前記識別情報とともに送信されてきた場合、該識別情報が登録されているものであるかどうかを確認し、該識別情報が登録されている場合、該識別情報とともに前記登録用端末から送信されてきたコンテンツ情報を前記識別情報と対応づけてデータベースに登録して管理する管理手段と、
前記データベースに登録して管理されたコンテンツ情報が、通信回線を介して接続可能な承認用端末にて承認された場合、前記承認用端末にて承認されたコンテンツ情報を前記印刷手段に送信するデータ配信手段とを有するコンテンツ管理システム。
【発明の詳細な説明】
【技術分野】
【０００１】
本発明は、印刷物に印刷されるコンテンツ情報を管理するコンテンツ管理システムに関する。
【背景技術】
【０００２】
従来より、カタログを用いて商品等を購入する、いわゆるカタログショッピングにおいては、消費者が商品等を店舗等に出向くことなく家庭等にて容易に購入することができるため、利用者の数は少なくない。また、近年、インターネットやパソコンが急速に普及し、それに伴い、インターネット上にホームページを開設し、このホームページを用いて商品等を販売する企業団体等が急速に増加している。
【０００３】
このようなカタログショッピングやインターネットを用いたショッピングにおいては、消費者が実際に店舗等に出向くことなく商品等が売買されるため、その決済も何らかの仲介手段を介して行われることになる。その仲介手段としては、クレジットカードを用いた支払いやコンビニエンスストアでの支払い等が利用されており、その場合、商品等の購入に伴う利用明細書が、商品等を購入した消費者に送付されることになる。
【０００４】
上述したような利用明細書は、封筒に封入されて消費者に送付されることになるが、消費者が支払わなければならない金額が掲載されているため、その開封率は高い。そこで、この利用明細書に広告情報等が掲載された印刷物を同封し、消費者に送付することが行われている。
【０００５】
このような広告情報等が掲載された印刷物は、制作会社にて印刷物に掲載されるコンテンツが制作され、その後、印刷会社にてそのコンテンツ情報が掲載された印刷物が印刷されることになるが、一般には、予め選定された１つの制作会社にて印刷物のコンテンツが制作され、このコンテンツが予め選定された1つの印刷会社に与えられ、その印刷会社にて印刷物が印刷されることになる（例えば、特許文献１参照。）。
【特許文献１】特開２００１−３２５３４２号公報
【発明の開示】
【発明が解決しようとする課題】
【０００６】
しかしながら、上述したように、予め選定された１つの制作会社にて印刷物のコンテンツが制作され、予め選定された1つの印刷会社にて印刷物が印刷されるものにおいては、発行する利用明細書等の印刷物の数が膨大な数となった場合、１つの制作会社及び印刷会社における処理が煩雑になって印刷物の発行処理が遅れてしまい、場合によっては、利用明細書等の印刷物の発行期日に間に合わなくなってしまう虞れがある。また、印刷物に印刷されるコンテンツが、予め選定された制作会社に応じたコンテンツとなり、印刷物に印刷されるコンテンツのデザイン等が限定されてしまう。
【０００７】
そこで、複数の制作会社にて印刷物のコンテンツを制作し、複数の印刷会社にてそのコンテンツを用いて印刷物を印刷することが考えられるが、その場合、複数の制作会社にて制作された印刷物のコンテンツを複数の印刷会社に振り分けるには、特に、印刷物の数が膨大な数となった場合にそのための処理が煩雑となり、また、複数の制作会社にてそれぞれ制作されたコンテンツを一元的に管理することが困難となってしまうという問題点がある。
【０００８】
本発明は、上述したような従来の技術が有する問題点に鑑みてなされたものであって、複数の制作手段にて印刷物のコンテンツを制作し、複数の印刷手段にてそのコンテンツを用いて印刷物を印刷する場合に、複数の制作手段にて制作されたコンテンツを一元的に管理することができるコンテンツ管理システムを提供することを目的とする。
【課題を解決するための手段】
【０００９】
上記目的を達成するために本発明は、
複数の登録用端末から送信されてきたコンテンツ情報を管理し、該コンテンツ情報を複数の印刷手段に送信するコンテンツ管理システムであって、
前記複数の登録用端末から送信されてくる予定のコンテンツ情報を識別可能な識別情報を予め登録しておき、前記複数の登録用端末からコンテンツ情報が前記識別情報とともに送信されてきた場合、該識別情報が登録されているものであるかどうかを確認し、該識別情報が登録されている場合、該識別情報とともに前記登録用端末から送信されてきたコンテンツ情報を前記識別情報と対応づけてデータベースに登録して管理する管理手段と、
前記データベースに登録して管理されたコンテンツ情報が、通信回線を介して接続可能な承認用端末にて承認された場合、前記承認用端末にて承認されたコンテンツ情報を前記印刷手段に送信するデータ配信手段とを有する。
【００１０】
上記のように構成された本発明においては、複数の登録用端末から送信されてくる予定のコンテンツ情報を識別可能な識別情報が予め登録されており、複数の登録用端末からコンテンツ情報が送信されてくると、管理手段において、まず、そのコンテンツ情報とともに送信されてきた識別情報が登録されているかどうかが確認され、それにより、複数の登録用端末から送信されてきたコンテンツ情報が、複数の登録用端末から送信されてくる予定のものとして管理されているかどうかが確認される。そして、複数の登録用端末から送信されてきたコンテンツ情報が、複数の登録用端末から送信されてくる予定のものとして管理されている場合は、そのコンテンツ情報が、コンテンツ情報を識別可能な識別情報と対応づけてデータベースに登録して管理される。その後、データベースに登録して管理されたコンテンツ情報が承認用端末にて閲覧され、承認された場合は、データ配信手段において、承認用端末にて承認されたコンテンツ情報が印刷手段に送信される。
【００１１】
このように、複数の登録用端末から送信されてきたコンテンツ情報が一元的に管理され、承認された後、印刷手段に送信されることになる。
【発明の効果】
【００１２】
以上説明したように本発明においては、複数の登録用端末から送信されてきたコンテンツ情報が、このコンテンツ情報を識別可能な識別情報と対応づけてデータベースに登録して管理され、管理されているコンテンツ情報が承認された場合にそのコンテンツ情報が印刷手段に送信される構成としたため、複数の制作手段にて印刷物のコンテンツを制作し、複数の印刷手段にてそのコンテンツを用いて印刷物を印刷する場合に、複数の制作手段にて制作されたコンテンツを一元的に管理することができる。
【発明を実施するための最良の形態】
【００１３】
以下に、本発明の実施の形態について図面を参照して説明する。
【００１４】
図１は、本発明のコンテンツ管理システムの実施の一形態を示す図である。
【００１５】
本形態は図１に示すように、コンテンツ情報を制作する複数の制作会社１０−１〜１０−ｎにて通信回線であるインターネット５０に接続可能にそれぞれ設けられた登録用端末１１−１〜１１−ｎから送信されてきたコンテンツ情報を管理し、このコンテンツ情報を複数の印刷会社４０−１〜４０−Ｎに送信するものであって、管理手段であるコンテンツ管理サーバ２１と、データ配信手段であるデータ配信サーバ２２とから構成されている。
【００１６】
制作会社１０−１〜１０−ｎにはそれぞれ、インターネット５０に接続可能に構成され、制作されたコンテンツ情報１２−１〜１２−ｎを、このコンテンツ情報１２−１〜１２−ｎを識別可能な識別情報となるコンテンツＩＤとともにインターネット５０を介してコンテンツ管理システム２０に送信する登録用端末１１−１〜１１−ｎが設けられている。
【００１７】
印刷会社４０−１〜４０−Ｎにはそれぞれ、インターネット５０に接続可能に構成され、コンテンツ管理システム２０から送信されてきたコンテンツ情報を受信するための端末４１−１〜４１−Ｎと、端末４１−１〜４１−Ｎにて受信されたコンテンツ情報を予め決められたレイアウトで印刷するプリンタ４２−１〜４２−Ｎとが設けられており、この端末４１−１〜４１−Ｎとプリンタ４２−１〜４２−Ｎとから印刷手段が構成される。
【００１８】
また、制作会社１０−１〜１０−ｎのコンテンツ情報１２−１〜１２−ｎからコンテンツ管理システム２０に送信されたコンテンツ情報を承認するために、インターネット５０を介してコンテンツ管理システム２０にアクセス可能に構成された確認用端末３１及び承認用端末３２が印刷物の発注企業３０に設けられている。
【００１９】
コンテンツ管理サーバ２１は、登録用端末１１−１〜１１−ｎから送信されてくる予定のコンテンツ情報のコンテンツＩＤとそのコンテンツ情報についての情報とを対応づけてコンテンツ納品リスト２３として予め登録しておき、登録用端末１１−１〜１１−ｎからコンテンツ情報がコンテンツＩＤとともに送信されてきた場合、そのコンテンツＩＤがコンテンツ納品リスト２３に登録されているものであるかどうかを確認し、コンテンツＩＤがコンテンツ納品リスト２３に登録されている場合、コンテンツＩＤとともに登録用端末１１−１〜１１−ｎから送信されてきたコンテンツ情報を、登録用端末１１−１〜１１−ｎから送信されてきた形態でコンテンツＩＤと対応づけてコンテンツデータベース２５に登録して管理するとともに、そのコンテンツ情報を確認用端末３１及び承認用端末３２にて閲覧可能な形態に変換してコンテンツＩＤと対応づけて閲覧用コンテンツデータベース２４に登録して管理する。また、閲覧用コンテンツデータベース２４に登録して管理されたコンテンツ情報が承認用端末３２にて承認された場合、コンテンツデータベース２５に登録して管理されているコンテンツ情報のうち、承認用端末３２にて承認されたコンテンツ情報のコンテンツＩＤによって識別されるコンテンツ情報を配信用コンテンツデータベース２６に登録して管理する。
【００２０】
データ配信サーバ２２は、配信用コンテンツデータベース２６に登録して管理されたコンテンツ情報を、印刷会社４０−１〜４０−Ｎの端末４１−１〜４１−Ｎに送信する。
【００２１】
以下に、上記のように構成されたコンテンツ管理システムにおけるコンテンツ管理方法について説明する。なお、以下の説明においては、発注企業３０が運営するクレジットカードの利用明細書が発行される際に、この利用明細書に、広告情報が掲載された印刷物が同封される場合を例に挙げる。
【００２２】
まず、制作会社１０−１〜１０−ｎにて制作されたコンテンツ情報がコンテンツ管理システム２０に納品、登録される際の処理について説明する。
【００２３】
図２は、図１に示したコンテンツ管理システムにおいて制作会社１０−１〜１０−ｎにて制作されたコンテンツ情報がコンテンツ管理システム２０に納品、登録される際の処理を説明するためのフローチャートである。
【００２４】
まず、事前処理として、発注企業３０と制作会社１０−１〜１０−ｎとの間において、例えば、次月のクレジットカードの利用明細書に同封される印刷物に掲載されるコンテンツ情報が決定される。例えば、次月は旅行の特集を組む等が検討され、そのためにはどのようなコンテンツを提供するかが決定される。そして、印刷物に掲載されるコンテンツ情報には、コンテンツ情報を識別可能なコンテンツＩＤが付与される。
【００２５】
図３は、図１に示したコンテンツ管理システム２０において制作会社１０−１〜１０−ｎにて制作されるコンテンツ情報を管理するためのコンテンツＩＤの構成を示す図である。
【００２６】
図３に示すように、図１に示したコンテンツ管理システム２０にてコンテンツ情報毎に付与されるコンテンツＩＤは、「旅行案内」や「お知らせ」等の分類を示す分類コードと、分類コードに対してユニークになるように設定された情報コードとから構成されている。
【００２７】
このように構成されたコンテンツＩＤは、発注企業３０と制作会社１０−１〜１０−ｎとの間にて決められた、コンテンツ情報の名称や、コンテンツ情報が印刷された印刷物の提供期間や、制作会社名等のコンテンツ情報に関する情報と対応づけてコンテンツ納品リスト２３として予め登録される。
【００２８】
その後、制作会社１０−１〜１０−ｎにおいて、発注企業３０との間にてそれぞれ決められたコンテンツ情報が制作される（ステップＳ１）。すなわち、制作会社１０−１〜１０−ｎにおいては、互いに異なるコンテンツ情報が制作されることになる。発注企業３０においては、制作会社１０−１〜１０−ｎの能力等に応じて、制作会社１０−１〜１０−ｎに合ったコンテンツ情報の制作を依頼することになる。
【００２９】
制作会社１０−１〜１０−ｎにおいて、制作されたコンテンツ情報をコンテンツ管理システム２０に納品する場合は、まず、登録用端末１１−１〜１１−ｎにてインターネット５０を介してコンテンツ管理システム２０にアクセスする（ステップＳ２）。
【００３０】
すると、コンテンツ管理システム２０からログイン画面が送信され（ステップＳ３）、登録用端末１１−１〜１１−ｎにてログイン画面が受信、表示される（ステップＳ４）。
【００３１】
コンテンツ管理システム２０から送信され、登録用端末１１−１〜１１−ｎにて表示されるログイン画面には、ユーザＩＤ及びパスワードを入力するための領域が設けられており、この領域にユーザＩＤ及びパスワードを入力して送信すると（ステップＳ５）、コンテンツ管理システム２０において、これらユーザＩＤ及びパスワードを用いてユーザ認証が行われる（ステップＳ６）。なお、ユーザＩＤは、制作会社１０−１〜１０−ｎがコンテンツ管理システム２０に登録する際にコンテンツ管理システム２０から付与され、また、その際にパスワードを登録しており、これらユーザＩＤとパスワードを用いてユーザ認証が行われることになる。
【００３２】
ユーザ認証が行われると、コンテンツ管理システム２０からメニュー画面が送信され（ステップＳ７）、登録用端末１１−１〜１１−ｎにてメニュー画面が受信、表示される（ステップＳ８）。
【００３３】
コンテンツ管理システム２０から送信され、登録用端末１１−１〜１１−ｎにて表示されるメニュー画面においては、制作したコンテンツ情報の納品や、コンテンツ管理システム２０に登録されたコンテンツ情報の照会、あるいはコンテンツ情報の承認が選択可能となっており、その中から制作したコンテンツ情報の納品が選択されると（ステップＳ９）、制作したコンテンツ情報をアップロードするための画面がコンテンツ管理システム２０から送信される（ステップＳ１０）。
【００３４】
コンテンツ管理システム２０から送信された、制作会社１０−１〜１０−ｎにて制作したコンテンツ情報をアップロードするための画面は、登録用端末１１−１〜１１−ｎにて受信、表示される（ステップＳ１１）。
【００３５】
図４は、図１に示した制作会社１０−１〜１０−ｎにて制作したコンテンツ情報をアップロードするための画面の一例を示す図である。
【００３６】
図４に示すように、コンテンツ管理システム２０から送信された、制作会社１０−１〜１０−ｎにて制作したコンテンツ情報をアップロードするための画面においては、アップロードするコンテンツ情報のファイル名を入力するためのファイル名入力領域６１と、アップロードするコンテンツ情報のコンテンツＩＤを入力するためのコンテンツＩＤ入力領域６２と、ファイル名入力領域６１に入力したファイル名のコンテンツ情報を参照する際に押下するための参照ボタン６３と、ファイル名入力領域６１にファイル名が入力されたコンテンツ情報をアップロードする際に押下するための納品ボタン６５とが設けられている。
【００３７】
そして、ファイル名入力領域６１にファイル名が入力されて参照ボタン６３が押下されると、入力されたファイル名のコンテンツ情報６４がポップアップ表示される。
【００３８】
図４に示した画面において、ファイル名入力領域６１にファイル名が入力され、また、コンテンツＩＤ入力領域６２に、発注企業３０との間にて予め決められたコンテンツＩＤが入力されて納品ボタン６５が押下されると、ファイル名入力領域６１にファイル名が入力されたコンテンツ情報が、コンテンツＩＤ入力領域６２に入力されたコンテンツＩＤとともにコンテンツ管理システム２０に送信され（ステップＳ１２）、コンテンツ管理システム２０のコンテンツ管理サーバ２１において、まず、登録用端末１１−１〜１１−ｎから送信されてきたコンテンツ情報についてのデータチェックが行われる（ステップＳ１３）。データチェックは、まず、登録用端末１１−１〜１１−ｎから送信されてきたコンテンツＩＤがコンテンツ納品リスト２３に登録されているかどうかが確認される。また、コンテンツ納品リスト２３には、コンテンツ情報の名称や、コンテンツ情報が印刷された印刷物の提供期間や、制作会社名等のコンテンツ情報に関する情報が登録されているため、ファイル名入力領域６１にファイル名が入力されたコンテンツ情報について、これらの情報も登録用端末１１−１〜１１−ｎからコンテンツ管理サーバ２０に送信し、登録用端末１１−１〜１１−ｎから送信されてきた情報とコンテンツ納品リスト２３に登録されている情報とを照合することによっても、ファイル名入力領域６１にファイル名が入力されたコンテンツ情報についてのデータチェックが行われる。また、登録用端末１１−１〜１１−ｎから送信されてきたコンテンツ情報が所定の形態であるかどうかの確認が行われる。本形態においては、登録用端末１１−１〜１１−ｎにて制作されるコンテンツ情報が、ＰＤＦファイルとして制作されるものとして決められているため、登録用端末１１−１〜１１−ｎから送信されてきたコンテンツ情報がＰＤＦファイルであって、かつ、指定されたバージョンのものであるかどうかが確認される。
【００３９】
データチェックの結果、登録用端末１１−１〜１１−ｎから送信されてきたコンテンツＩＤがコンテンツ納品リスト２３に登録されており、かつ、登録用端末１１−１〜１１−ｎから送信されてきたコンテンツ情報が指定されたバージョンのＰＤＦファイルである場合は（ステップＳ１４）、登録用端末１１−１〜１１−ｎから送信されてきたコンテンツ情報が、コンテンツデータベース２５に登録、管理されるとともに（ステップＳ１５）、登録用端末１１−１〜１１−ｎから送信されてきたコンテンツ情報がＪＰＥＧファイルに変換され、閲覧用コンテンツデータベース２４に登録、管理される（ステップＳ１６）。なお、このように、登録用端末１１−１〜１１−ｎから送信されてきたＰＤＦファイルからなるコンテンツ情報をＪＰＥＧファイルに変換する処理においては、その後、確認用端末３１や承認用端末３２にて、コンテンツ管理システム２０に登録されたコンテンツ情報を閲覧する場合に、ＰＤＦファイルでは、ファイルサイズが大きくなって処理が遅くなってしまうために、ＪＰＥＧファイルに変換することが行われることになる。また、コンテンツデータベース２５及び閲覧用コンテンツデータベース２４においては、提供月毎にコンテンツ情報が登録されることになる。
【００４０】
一方、データチェックの結果がＮＧであった場合は、その旨がコンテンツ管理サーバ２１から、コンテンツ情報を送信してきた登録用端末１１−１〜１１−ｎに通知される（ステップＳ１７，Ｓ１８）。
【００４１】
次に、コンテンツ管理システム２０に登録されたコンテンツ情報が発注企業３０にて承認される際の処理について説明する。
【００４２】
図５は、図１に示したコンテンツ管理システム２０に登録されたコンテンツ情報が発注企業３０にて承認される際の処理を説明するためのフローチャートである。
【００４３】
発注企業３０において、コンテンツ管理システム２０に登録されたコンテンツ情報を承認する場合は、まず、確認用端末３１あるいは承認用端末３２にてインターネット５０を介してコンテンツ管理システム２０にアクセスする（ステップＳ１０１）。
【００４４】
すると、コンテンツ管理システム２０からログイン画面が送信され（ステップＳ１０２）、確認用端末３１あるいは承認用端末３２にてログイン画面が受信、表示される（ステップＳ１０３）。
【００４５】
コンテンツ管理システム２０から送信され、確認用端末３１あるいは承認用端末３２にて表示されるログイン画面には、ユーザＩＤ及びパスワードを入力するための領域が設けられており、この領域にユーザＩＤ及びパスワードを入力して送信すると（ステップＳ１０４）、コンテンツ管理システム２０において、これらユーザＩＤ及びパスワードを用いてユーザ認証が行われる（ステップＳ１０５）。なお、ユーザＩＤは、発注企業３０がコンテンツ管理システム２０に登録する際にコンテンツ管理システム２０から付与され、また、その際にパスワードを登録しており、これらユーザＩＤとパスワードを用いてユーザ認証が行われることになる。
【００４６】
ユーザ認証が行われると、コンテンツ管理システム２０からメニュー画面が送信され（ステップＳ１０６）、確認用端末３１あるいは承認用端末３２にてメニュー画面が受信、表示される（ステップＳ１０７）。
【００４７】
コンテンツ管理システム２０から送信され、確認用端末３１あるいは承認用端末３２にて表示されるメニュー画面においては、制作したコンテンツ情報の納品や、コンテンツ管理システム２０に登録されたコンテンツ情報の照会、あるいはコンテンツ情報の承認が選択可能となっており、その中からコンテンツ情報の承認が選択されると（ステップＳ１０８）、コンテンツ管理システム２０に登録されたコンテンツ情報を承認するための画面がコンテンツ管理システム２０から送信される（ステップＳ１０９）。
【００４８】
コンテンツ管理システム２０から送信された、コンテンツ管理システム２０に登録されたコンテンツ情報を承認するための画面は、確認用端末３１あるいは承認用端末３２にて受信、表示される（ステップＳ１１０）。
【００４９】
図６は、図１に示したコンテンツ管理システム２０に登録されたコンテンツ情報を承認するための画面の一例を示す図である。
【００５０】
図６に示すように、コンテンツ管理システム２０から送信された、コンテンツ管理システム２０に登録されたコンテンツ情報を承認するための画面においては、内容を確認するコンテンツ情報のコンテンツＩＤを入力するためのコンテンツＩＤ入力領域６６と、コンテンツＩＤ入力領域６６にコンテンツＩＤが入力されたコンテンツ情報に関する情報が表示されるコンテンツ一覧表示領域６８と、コンテンツＩＤ入力領域６６に入力されたコンテンツＩＤによって識別されるコンテンツ情報をコンテンツ一覧表示領域６８に表示する際に押下するための表示ボタン６７と、コンテンツ一覧表示領域６８に表示されたコンテンツ情報の承認／否認を指定するためのチェックボックス６９と、コンテンツ情報の画像を閲覧する場合に押下するための画像表示ボタン７０とが掲載されている。
【００５１】
図６に示した画面において、コンテンツＩＤ入力領域６６にコンテンツＩＤが入力されて表示ボタン６７が押下されると（ステップＳ１１１）、コンテンツ管理システム２０のコンテンツ管理サーバ２１において、コンテンツデータベース２５に登録されたコンテンツ情報の中から、コンテンツＩＤ入力領域６６に入力されたコンテンツＩＤによって識別されるコンテンツ情報が検索され（ステップＳ１１２）、そのコンテンツ情報に関する情報が送信され（ステップＳ１１３）、コンテンツ一覧表示領域６８に表示される（ステップＳ１１４）。なお、コンテンツ一覧表示領域６８に表示される情報としては、図６に示すように、コンテンツ情報の名称や、登録日、制作会社名等のコンテンツ情報に関する情報が挙げられる。そのため、コンテンツ一覧表示領域６８に表示される情報がコンテンツ情報データベース２５から検索される場合は、これらの情報がコンテンツ情報データベース２５にも登録されている必要がある。また、これらの情報は上述したようにコンテンツ納品リスト２３に登録されているため、コンテンツ納品リスト２３から検索することも考えられる。
【００５２】
指定されたコンテンツ情報に関する情報がコンテンツ一覧表示領域６８に表示された後、コンテンツ情報の画像を閲覧する場合は、所望のコンテンツ情報の画像表示ボタン７０が押下されると、そのコンテンツ情報について閲覧用コンテンツデータベース２４に登録された画像が表示されることになる。なお、この際、コンテンツ一覧表示領域６８に表示された複数のコンテンツ情報について画像表示ボタン７０を押下することにより、複数のコンテンツ情報の画像をサムネイル形態で表示することもできる。また、閲覧用コンテンツデータベース２４には、コンテンツ情報がＪＰＥＧファイルとして登録されているため、ＪＰＥＧファイルとしてコンテンツ情報が表示されることになるが、実際に印刷されるＰＤＦファイルとしてコンテンツ情報を表示させたい場合は、その旨を入力すれば、コンテンツデータベース２５にＰＤＦファイルとして登録されたコンテンツ情報が表示されることになる。
【００５３】
そして、表示されたコンテンツ情報を承認する場合は（ステップＳ１１５）、該当するコンテンツ情報の承認側のチェックボックスにチェックを入力し、確認ボタン（不図示）等を押下することにより確定すると（ステップＳ１１６）、コンテンツ管理サーバ２１において、コンテンツデータベース２５に登録されたコンテンツ情報のうち、承認されたコンテンツ情報が配信用コンテンツデータベース２６に移される（ステップＳ１１７）。
【００５４】
一方、指定されたコンテンツ情報に関する情報がコンテンツ一覧表示領域６８に表示された後、そのコンテンツ情報を否認する場合は、該当するコンテンツ情報の否認側のチェックボックスにチェックを入力し、確認ボタン（不図示）等を押下することにより確定すると（ステップＳ１１８）、コンテンツ管理サーバ２１にその旨が通知される（ステップＳ１１９）。
【００５５】
なお、図５を用いた説明においては、コンテンツ情報の承認が１回で確定されているが、発注企業３０の確認用端末３１と承認用端末３２とで２段階に承認処理を行うことも考えられる。その場合、まず、確認用端末３１において上述したような処理のうち、承認処理のみ（否認は不可）を行った後に、承認用端末３２を用いて承認／否認処理を行うことになる。なお、その際、承認用端末３２において、確認用端末３１にて承認処理を行った後でなければ承認／否認処理を行うことはできない構成とすることが好ましい。
【００５６】
このようにして配信用コンテンツデータベース２６に登録されたコンテンツ情報は、データ配信サーバ２２から印刷会社４０−１〜４０−Ｎの端末４１−１〜４１−Ｎに送信され、プリンタ４２−１〜４２−Ｎにてそれぞれ印刷されることになる。実際には、配信用コンテンツデータベース２６の該当するコンテンツ情報の格納領域を示すＵＲＬが掲載された電子メールがデータ配信サーバ２２から端末４１−１〜４１−Ｎに送信され、端末４１−１〜４１−Ｎにてその電子メールに掲載されたＵＲＬが指定されることにより、コンテンツ情報が端末４１−１〜４１−Ｎに配信されることになる。
【００５７】
図７は、図１に示した印刷会社４０−１〜４０−Ｎにおけるコンテンツ情報の印刷処理を説明するための図であり、（ａ）は印刷会社４０−１〜４０−Ｎにて印刷される利用明細書を示す図、（ｂ）は印刷会社４０−１〜４０−Ｎにて印刷される印刷物を示す図、（ｃ）は（ｂ）に示した印刷物へのコンテンツ情報の割り当てを示す図である。
【００５８】
図７（ａ）に示すように、印刷会社４０−１〜４０−Ｎにて印刷される利用明細書のレイアウトデータには、利用明細書の宛先情報が印字される宛先情報印字領域７１と、利用明細書の発行日時が印字される日時情報印字領域７２と、利用明細が印字される明細情報印字領域７３とが設けられており、このレイアウトデータが発注企業３０から印刷会社４０−１〜４０−Ｎに予め与えられている。そして、プリンタ４２−１〜４２−Ｎにおいて、宛先情報印字領域７１には利用明細書の宛先情報７１ａが印字され、また、日時情報印字領域７２には利用明細書の発行日時が印字され、明細情報印字領域７３には利用明細が印字される。これら印字される情報についても、発注企業３０から印刷会社４０−１〜４０−Ｎにそれぞれ予め与えられており、印刷会社４０−１〜４０−Ｎのそれぞれにおいて、発注企業３０から与えられた情報を用いて利用明細書の印刷が行われることになる。
【００５９】
また、図７（ｂ）に示すように、印刷会社４０−１〜４０−Ｎにて印刷される印刷物のレイアウトデータには、コンテンツ情報が組み込まれるコンテンツ組込み領域８１〜８３が設けられており、これらのコンテンツ組込み領域８１〜８３に組み込まれるコンテンツ情報８１ａ〜８３ａは、図７（ｃ）に示すように、利用明細書の発送先に応じてコンテンツＩＤによって予め指定されており、この情報も発注企業３０から印刷会社４０−１〜４０−Ｎにそれぞれ予め与えられている。
【００６０】
印刷会社４０−１〜４０−Ｎにおいては、プリンタ４２−１〜４２−Ｎにおいて、コンテンツ管理システム２０から配信されたコンテンツ情報が図７（ｃ）に示した指定に基づいて印刷物に印刷されることになる。
【００６１】
なお、本形態においては、制作会社１０−１〜１０−ｎにてＰＤＦファイルとして制作されたコンテンツ情報が、ＰＤＦファイルとしてコンテンツデータベース２５に登録されるとともに、ＪＰＥＧファイルに変換されて閲覧用コンテンツデータベース２４に登録され、確認用端末３１や承認用端末３２において、閲覧用コンテンツデータベース２４にＪＰＥＧファイルとして登録されたコンテンツ情報を閲覧する場合を例に挙げて説明したが、制作会社１０−１〜１０−ｎにてＰＤＦファイルとして制作されたコンテンツ情報をＪＰＥＧファイルに変換することなく、確認用端末３１や承認用端末３２において、コンテンツデータベース２５にＰＤＦファイルとして登録されたコンテンツ情報のみを閲覧する構成とすることも考えられる。
【図面の簡単な説明】
【００６２】
【図１】本発明のコンテンツ管理システムの実施の一形態を示す図である。
【図２】図１に示したコンテンツ管理システムにおいて制作会社にて制作されたコンテンツ情報がコンテンツ管理システムに納品、登録される際の処理を説明するためのフローチャートである。
【図３】図１に示したコンテンツ管理システムにおいて制作会社にて制作されるコンテンツ情報を管理するためのコンテンツＩＤの構成を示す図である。
【図４】図１に示した制作会社にて制作したコンテンツ情報をアップロードするための画面の一例を示す図である。
【図５】図１に示したコンテンツ管理システムに登録されたコンテンツ情報が発注企業にて承認される際の処理を説明するためのフローチャートである。
【図６】図１に示したコンテンツ管理システムに登録されたコンテンツ情報を承認するための画面の一例を示す図である。
【図７】図１に示した印刷会社におけるコンテンツ情報の印刷処理を説明するための図であり、（ａ）は印刷会社にて印刷される利用明細書を示す図、（ｂ）は印刷会社にて印刷される印刷物を示す図、（ｃ）は（ｂ）に示した印刷物へのコンテンツ情報の割り当てを示す図である。
【符号の説明】
【００６３】
１０−１〜１０−ｎ    制作会社
１１−１〜１１−ｎ    登録用端末
１２−１〜１２−ｎ    コンテンツ情報
２０    コンテンツ管理システム
２１    コンテンツ管理サーバ
２２    コンテンツ配信サーバ
２３    コンテンツ納品リスト
２４    閲覧用コンテンツデータベース
２５    コンテンツデータベース
２６    配信用コンテンツデータベース
３０    発注企業
３１    確認用端末
３２    承認用端末
４０−１〜４０−Ｎ    印刷会社
４１−１〜４１−Ｎ    端末
４２−１〜４２−Ｎ    プリンタ
５０    インターネット
６１    ファイル名入力領域
６２，６６    コンテンツＩＤ入力領域
６３    参照ボタン
６４，８１ａ〜８３ａ    コンテンツ情報
６５    納品ボタン
６７    表示ボタン
６８    コンテンツ一覧表示領域
６９    チェックボックス
７０    画像表示ボタン
７１    宛先情報印字領域
７１ａ    宛先情報
７２    日時情報印字領域
７２ａ    日時情報
７３    明細情報印字領域
７３    明細情報
８１〜８３    コンテンツ組込み領域
【図１】
2007265146.tif 000003
【図２】
2007265146.tif 000004
【図３】
2007265146.tif 000005
【図４】
2007265146.tif 000006
【図５】
2007265146.tif 000007
【図６】
2007265146.tif 000008
【図７】
2007265146.tif 000009